(57)【要約】【課題】画像形成時以外で外部電池を設けることなくイオン性不純物の掃出しができる電気光学装置および電子機器を提供する。【解決手段】液晶装置１は、対向基板３０と素子基板２０との間に挟持された負の誘電率異方性を有する液晶を含む液晶層４０と、対向基板３０に設けられた共通電極３４と、素子基板２０に設けられた画素電極２８ａとその平面的に外側に配置された画素電極２８ｂと画素電極２８ｃとを有し、共通電極３４と画素電極２８ａとの間に電圧を印加して画像を形成する。通常駆動モードにおいて共通電極３４と画素電極２８ｂとの間に印加される電圧は画素電極２８ａとの間に印加される電圧以下であり、イオン掃出し駆動モードにおいて共通電極３４と画素電極２８ａとの間に印加される第１電圧は０Ｖよりも高く、画素電極２８ｂとの間に印加される第２電圧は第１電圧以上であり、画素電極２８ｃとの間に印加される第３電圧は第１電圧以上である。【選択図】図６
2016057427.tif 000002
【特許請求の範囲】
【請求項１】
一対の基板に挟持された負の誘電率異方性を有する液晶を含む液晶層と、
前記一対の基板のうち一方の基板の前記液晶層の側に設けられた第１電極と、
前記一対の基板のうち他方の基板の前記液晶層の側に設けられた第２電極と、
前記他方の基板の前記液晶層の側に設けられ、前記第２電極の平面的に外側に配置された第３電極と、
前記他方の基板の前記液晶層の側に設けられ、前記第３電極の平面的に外側に配置された第４電極と、
を有し、前記第１電極と前記第２電極との間の前記液晶層に電圧を印加して画像を形成する電気光学装置であって、
前記画像形成時に設定される第１状態において、前記第１電極と前記第３電極との間の前記液晶層に印加される電圧は、前記第１電極と前記第２電極との間の前記液晶層に印加される電圧以下であり、
電源をオフにする時に設定される第２状態において、前記第１電極と前記第２電極との間の前記液晶層に印加される第１電圧は０Ｖよりも高く、前記第１電極と前記第３電極との間の前記液晶層に印加される第２電圧は前記第１電圧以上であり、前記第１電極と前記第４電極との間の前記液晶層に印加される第３電圧は前記第１電圧以上であることを特徴とする電気光学装置。
【請求項２】
請求項１に記載の電気光学装置であって、
前記第２状態において、前記第２電圧は前記第１電圧よりも高く、前記第３電圧は前記第１電圧よりも高いことを特徴とする電気光学装置。
【請求項３】
請求項１または２に記載の電気光学装置であって、
前記第１状態においては照明光が照射されており、
前記第２状態は、前記照明光の照射が停止された後に設定されることを特徴とする電気光学装置。
【請求項４】
請求項３に記載の電気光学装置であって、
前記第２電極および前記第３電極のそれぞれに電気的に接続されたスイッチング素子を有し、
前記電源をオフにする時に前記第２状態の後に設定される第３の状態において、前記第１電極と前記第２電極との間の前記液晶層に印加される電圧、前記第１電極と前記第３電極との間の前記液晶層に印加される電圧、および前記第１電極と前記第４電極との間の前記液晶層に印加される電圧は０Ｖであることを特徴とする電気光学装置。
【請求項５】
請求項１から４のいずれか一項に記載の電気光学装置であって、
前記第２状態において、前記第１電極と前記第４電極との間の前記液晶層に印加される前記第３電圧は前記第２電圧以上であることを特徴とする電気光学装置。
【請求項６】
請求項５に記載の電気光学装置であって、
前記第２状態において、前記第３電圧は前記第２電圧よりも高いことを特徴とする電気光学装置。
【請求項７】
請求項１から６のいずれか一項に記載の電気光学装置を備えていることを特徴とする電子機器。
【発明の詳細な説明】
【技術分野】
【０００１】
本発明は、電気光学装置および電子機器に関する。
【背景技術】
【０００２】
電気光学装置として、一対の基板の間に液晶層が挟持された液晶装置が知られている。このような液晶装置に光が入射すると、液晶層の液晶材料や配向膜などと入射光とが光化学反応を起こし、反応生成物としてイオン性不純物が発生することがある。また、液晶装置の製造過程で、シール材や封止材などから液晶層に拡散するイオン性不純物もあることが知られている。特に、投写型表示装置（プロジェクター）の光変調手段（ライトバルブ）に用いられる液晶装置では、入射光の光束密度が直視型の液晶装置に比べて高くなるので、イオン性不純物が表示に影響を及ぼすことを抑制する必要がある。
【０００３】
イオン性不純物の表示に対する影響を抑制する手段として、例えば、特許文献１には、外部電池を有し、電源がオフされた非動作状態において外部電池により液晶内部に溜まるイオンを表示領域外に掃き出す間欠駆動をする液晶装置（液晶表示パネル）が開示されている。画像を形成する通常の使用状態では、イオンを表示領域外に掃き出す間欠駆動に伴って液晶分子の配向が乱れて表示品位が低下するとユーザーに視認されてしまうが、非動作状態で間欠駆動を行うのでユーザーに視認されることはない。
【先行技術文献】
【特許文献】
【０００４】
【特許文献１】特開２００８−８９９３８号公報
【発明の概要】
【発明が解決しようとする課題】
【０００５】
しかしながら、特許文献１に記載の液晶装置の構成によれば、電源がオフされた非動作状態で間欠駆動を行うための外部電池を設けるスペースを必要とするので、液晶装置が大型化するという課題がある。また、外部電池で間欠駆動を行うための駆動回路を必要とするため、回路構成が複雑化するという課題がある。さらに、これらにより、製品コストの上昇を招くという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係る電気光学装置は、一対の基板に挟持された負の誘電率異方性を有する液晶を含む液晶層と、前記一対の基板のうち一方の基板の前記液晶層の側に設けられた第１電極と、前記一対の基板のうち他方の基板の前記液晶層の側に設けられた第２電極と、前記他方の基板の前記液晶層の側に設けられ、前記第２電極の平面的に外側に配置された第３電極と、前記他方の基板の前記液晶層の側に設けられ、前記第３電極の平面的に外側に配置された第４電極と、を有し、前記第１電極と前記第２電極との間の前記液晶層に電圧を印加して画像を形成する電気光学装置であって、前記画像形成時に設定される第１状態において、前記第１電極と前記第３電極との間の前記液晶層に印加される電圧は、前記第１電極と前記第２電極との間の前記液晶層に印加される電圧以下であり、電源をオフにする時に設定される第２状態において、前記第１電極と前記第２電極との間の前記液晶層に印加される第１電圧は０Ｖよりも高く、前記第１電極と前記第３電極との間の前記液晶層に印加される第２電圧は前記第１電圧以上であり、前記第１電極と前記第４電極との間の前記液晶層に印加される第３電圧は前記第１電圧以上であることを特徴とする。
【０００８】
本適用例の構成によれば、電気光学装置は、一対の基板に負の誘電率異方性を有する液晶を含む液晶層が挟持されているので、電圧無印加時には液晶分子が略垂直に立った状態で配向する液晶装置であり、印加される電圧が高いほど液晶分子の垂直方向に対する傾きが大きくなって寝た状態となる。このような液晶装置の電源をオフにする時に設定される第２状態において、第２電極と第１電極との間に印加される第１電圧が０Ｖよりも高いため、第２電極が配置された領域において、液晶分子が電圧無印加時よりも傾いて配向するのでイオン性不純物が移動し易い状態となる。そして、第１電極と第３電極との間に印加される第２電圧は第１電圧以上であり、第１電極と第４電極との間に印加される第３電圧は第１電圧以上であるため、第３電極および第４電極が配置された領域では、液晶分子の垂直方向に対する傾きが第２電極が配置された領域と同等かそれ以上に大きくなるので、イオン性不純物が移動し易い状態となる。そのため、画像形成時に第２電極が配置された領域に発生したイオン性不純物を、電源をオフにする時に平面的に外側の第３電極および第４電極が配置された領域へ掃き出すことができる。これにより、画像を形成する第１状態以外の状態で、外部電池を設けることなくイオン性不純物の掃出しを行うことができるので、外部電池を設けるためのスペースを不要にできるとともに、回路構成の複雑化や製品コストの上昇が避けられる。また、一旦電源をオフした後に電源をオンして再使用する際の第１状態においては、第１電極と第３電極との間に印加される電圧が第１電極と第２電極との間に印加される電圧以下であるため、第３電極が配置された領域では、液晶分子の垂直方向に対する傾きが第２電極が配置された領域と同等かそれよりも小さくなる。そのため、電源をオフにする時に第４電極が配置された領域に掃き出されたイオン性不純物が、画像形成時に第２電極が配置された領域に戻ることを抑止できる。この結果、イオン性不純物に起因する表示品位の低下が抑えられた電気光学装置を、より小型かつより低コストで提供できる。
【０００９】
［適用例２］上記適用例に係る電気光学装置であって、前記第２状態において、前記第２電圧は前記第１電圧よりも高く、前記第３電圧は前記第１電圧よりも高いことが好ましい。
【００１０】
本適用例の構成によれば、電源をオフにする時に設定される第２状態において、第１電極と第３電極との間に印加される第２電圧は第１電極と第２電極との間に印加される第１電圧よりも高く、第１電極と第４電極との間に印加される第３電圧は第１電極と第２電極との間に印加される第１電圧よりも高いため、第３電極および第４電極が配置された領域では、第２電極が配置された領域よりも液晶分子の垂直方向に対する傾きが大きくなりイオン性不純物がより移動し易い状態となる。そのため、第２電極が配置された領域に発生したイオン性不純物を平面的に外側の第３電極および第４電極が配置された領域へ、より効率良く移動させることができる。
【００１１】
［適用例３］上記適用例に係る電気光学装置であって、前記第１状態においては照明光が照射されており、前記第２状態は、前記照明光の照射が停止された後に設定されることが好ましい。
【００１２】
本適用例の構成によれば、照明光の照射が停止された後に第２状態が設定される。照明光が照射されていると、照明光が照射されていない場合と比べてイオン性不純物の移動に時間がかかる。したがって、照明光の照射が停止された後に第２状態を設定することで、ユーザーに視認されることなく迅速にイオン性不純物の掃出しを行うことができる。
【００１３】
［適用例４］上記適用例に係る電気光学装置であって、前記第２電極および前記第３電極のそれぞれに電気的に接続されたスイッチング素子を有し、前記電源をオフにする時に前記第２状態の後に設定される第３の状態において、前記第１電極と前記第２電極との間の前記液晶層に印加される電圧、前記第１電極と前記第３電極との間の前記液晶層に印加される電圧、および前記第１電極と前記第４電極との間の前記液晶層に印加される電圧は０Ｖであることが好ましい。
【００１４】
本適用例の構成によれば、電源をオフにする時に設定される第３の状態において、第１電極と第２電極との間、第１電極と第３電極との間、および第１電極と第４電極との間に０Ｖの電圧を印加することで、第２電極および第３電極に電気的に接続されたスイッチング素子に画像形成時に溜まった電荷を放電させることができる。この第３の状態では、第２電極が配置された領域、第３電極および第４電極が配置された領域において液晶分子が略垂直に立った状態で配向するので、イオン性不純物の移動が阻害される。そのため、イオン性不純物の掃出しを行う第２状態を第３の状態の前に設定することで、イオン性不純物の掃出しを良好に行うことができる。
【００１５】
［適用例５］上記適用例に係る電気光学装置であって、前記第２状態において、前記第１電極と前記第４電極との間の前記液晶層に印加される第３電圧は前記第２電圧以上であることが好ましい。
【００１６】
本適用例の構成によれば、第３電極の平面的に外側に第４電極が配置されており、電源をオフにする時に第１電極との間で第４電極に印加される第３電圧は第３電極に印加される第２電圧以上であるため、第４電極が配置された領域では、液晶分子の垂直方向に対する傾きが第３電極が配置された領域と同等かそれ以上に大きくなりイオン性不純物が移動し易い状態となる。そのため、画像形成時に第２電極が配置された領域に発生したイオン性不純物を、電源をオフにする時に第３電極が配置された領域よりもさらに平面的に外側の第４電極が配置された領域へ掃き出すことができる。
【００１７】
［適用例６］上記適用例に係る電気光学装置であって、前記第２状態において、前記第３電圧は前記第２電圧よりも高いことが好ましい。
【００１８】
本適用例の構成によれば、電源をオフにする時に第１電極との間で第４電極に印加される第３電圧は第３電極に印加される第２電圧よりも高いため、第４電極が配置された領域では、液晶分子の垂直方向に対する傾きが第３電極が配置された領域よりも大きくなりイオン性不純物がより移動し易い状態となる。そのため、第２電極が配置された領域に発生したイオン性不純物を第３電極が配置された領域よりもさらに平面的に外側の第４電極が配置された領域へより効率良く移動させることができる。
【００１９】
［適用例７］本適用例に係る電子機器は、上記に記載の電気光学装置を備えていることを特徴とする。
【００２０】
本適用例の構成によれば、電子機器は上記に記載の電気光学装置を備えているので、表示品位に優れた小型でコスト競争力のある電子機器を提供できる。
【図面の簡単な説明】
【００２１】
【図１】本実施形態に係る電子機器としてのプロジェクターの構成を示す概略図。
【図２】本実施形態に係る液晶装置の構成を示す概略図。
【図３】本実施形態に係る液晶装置の電気的な構成を示す等価回路図。
【図４】本実施形態に係る液晶装置の画素領域を示す概略平面図。
【図５】液晶装置における配向方向とイオン性不純物に起因する表示ムラとの関係を示す概略平面図。
【図６】液晶装置における配向方向とイオン性不純物の動きとの関係を説明する概略断面図。
【図７】本実施形態に係る液晶装置を駆動する回路部の概略構成を示すブロック図。
【図８】本実施形態に係るプロジェクターの電源オフシーケンスを示す図。
【図９】本実施形態に係るイオン掃出し結果を説明する図。
【発明を実施するための形態】
【００２２】
以下、本発明を具体化した実施形態について図面を参照して説明する。使用する図面は、説明する部分が認識可能な状態となるように、適宜拡大、縮小、あるいは誇張して表示している。また、説明に必要な構成要素以外は図示を省略する場合がある。
【００２３】
（第１の実施形態）
＜電子機器の構成＞
まず、本実施形態に係る電気光学装置を備えた電子機器の一例について図１を参照して説明する。図１は、本実施形態に係る電子機器としてのプロジェクターの構成を示す概略図である。図１に示すように、本実施形態に係る電子機器としてのプロジェクター１００は、光源部から入射する光を光変調素子で変調して、投写光学系によりスクリーン１３０上に投写する投写型表示装置である。
【００２４】
プロジェクター１００は、光源部としての偏光照明装置１１０と、光分離素子としての２つのダイクロイックミラー１０４，１０５と、３つの反射ミラー１０６，１０７，１０８と、５つのリレーレンズ１１１，１１２，１１３，１１４，１１５と、光変調素子としての３つの液晶ライトバルブ１２１，１２２，１２３と、光合成素子としてのクロスダイクロイックプリズム１１６と、投写光学系としての投写レンズ１１７とを備えている。
【００２５】
偏光照明装置１１０は、例えば超高圧水銀灯やハロゲンランプなどの白色光源からなる光源としてのランプユニット１０１と、インテグレーターレンズ１０２と、偏光変換素子１０３とを備えている。ランプユニット１０１と、インテグレーターレンズ１０２と、偏光変換素子１０３とは、システム光軸Ｌｘに沿って配置されている。
【００２６】
ダイクロイックミラー１０４は、偏光照明装置１１０から射出された照明光の偏光光束のうち、赤色光（Ｒ）を反射させ、緑色光（Ｇ）と青色光（Ｂ）とを透過させる。もう１つのダイクロイックミラー１０５は、ダイクロイックミラー１０４を透過した緑色光（Ｇ）を反射させ、青色光（Ｂ）を透過させる。
【００２７】
ダイクロイックミラー１０４で反射した赤色光（Ｒ）は、反射ミラー１０６で反射した後にリレーレンズ１１５を経由して液晶ライトバルブ１２１に入射する。ダイクロイックミラー１０５で反射した緑色光（Ｇ）は、リレーレンズ１１４を経由して液晶ライトバルブ１２２に入射する。ダイクロイックミラー１０５を透過した青色光（Ｂ）は、３つのリレーレンズ１１１，１１２，１１３と２つの反射ミラー１０７，１０８とで構成される導光系を経由して液晶ライトバルブ１２３に入射する。
【００２８】
液晶ライトバルブ１２１，１２２，１２３は、透過型の光変調素子であり、本実施形態に係る電気光学装置としての液晶装置１（図２（ａ），（ｂ）参照）が適用されたものである。液晶ライトバルブ１２１，１２２，１２３は、各色光の入射側と射出側とにおいてクロスニコルに配置された一対の偏光素子の間に隙間を置いて配置されている。液晶ライトバルブ１２１，１２２，１２３は、クロスダイクロイックプリズム１１６の色光ごとの入射面に対してそれぞれ対向配置されている。液晶ライトバルブ１２１，１２２，１２３に入射した色光は、映像情報（映像信号）に基づいて変調され、クロスダイクロイックプリズム１１６に向けて射出される。
【００２９】
クロスダイクロイックプリズム１１６は、４つの直角プリズムが貼り合わされて構成されており、その内面には赤色光を反射する誘電体多層膜と青色光を反射する誘電体多層膜とが十字状に形成されている。これらの誘電体多層膜によって、液晶ライトバルブ１２１，１２２，１２３のそれぞれで変調された３つの色光が合成されて、カラー画像を表す光が合成される。
【００３０】
投写レンズ１１７は、クロスダイクロイックプリズム１１６で合成された光を、スクリーン１３０上に拡大して投写する。これにより、スクリーン１３０上にフルカラー画像が拡大されて表示される。
【００３１】
なお、図示を省略するが、プロジェクター１００は、ユーザーがプロジェクター１００を操作するための電源スイッチなどを有する操作部を有している。この操作部は、プロジェクター１００の本体やリモートコントローラーに備えられている。プロジェクター１００の各部が動作を停止している状態でユーザーが電源スイッチを押すことにより、プロジェクター１００の各部が電源をオンにする時の動作を開始する。また、プロジェクター１００の各部が動作している状態でユーザーが電源スイッチを押すことにより、プロジェクター１００の各部が電源をオフにする時の一連の動作を開始する。この電源をオフにする時の一連の動作を、以下では電源オフシーケンスという。電源オフシーケンスの詳細については後述する。
【００３２】
＜電気光学装置の構成＞
次に、本実施形態に係る電気光学装置としての液晶装置について、図２および図３を参照して説明する。図２は、本実施形態に係る液晶装置の構成を示す概略図である。詳しくは、図２（ａ）は液晶装置の構成を示す概略平面図であり、図２（ｂ）は図２（ａ）のＨ−Ｈ’線に沿った概略断面図である。また、図３は、本実施形態に係る液晶装置の電気的な構成を示す等価回路図である。
【００３３】
ここでは、液晶装置１として、薄膜トランジスター（Thin Film Transistor：ＴＦＴ）を画素のスイッチング素子として備えたアクティブマトリックス型の液晶装置を例に挙げて説明する。
【００３４】
図２（ａ）および（ｂ）に示すように、本実施形態に係る液晶装置１は、一対の基板としての対向基板３０および素子基板２０と、対向基板３０と素子基板２０との間に挟持された液晶層４０とを備えている。一方の基板である対向基板３０と、他方の基板である素子基板２０とは互いに対向するように配置されている。対向基板３０の基材３１および素子基板２０の基材２１には、それぞれ、例えば石英基板やガラス基板などの透明な基板が用いられている。
【００３５】
対向基板３０と素子基板２０とは、外縁に沿って枠状に配置されたシール材４２を介して間隔を置いて接合されている。液晶層４０は、対向基板３０と素子基板２０とシール材４２とによって囲まれた空間に封入されている。シール材４２は、例えば熱硬化性または紫外線硬化性のエポキシ樹脂などの接着剤からなる。シール材４２には、対向基板３０と素子基板２０との間隔を一定に保持するためのスペーサー（図示省略）が混入されている。
【００３６】
シール材４２の内側には、複数の画素Ｐがマトリックス状に配列された画素領域１０が設けられている。画素領域１０のうち、最も内側に表示画素領域１０ａが配置され、表示画素領域１０ａを取り囲むように色毎合わせ画素領域１０ｂが配置され、色毎合わせ画素領域１０ｂを取り囲むようにダミー画素領域１０ｃが配置されている。通常の表示を行う状態において、表示画素領域１０ａが実質的に表示に寄与する領域であり、色毎合わせ画素領域１０ｂとダミー画素領域１０ｃとは実質的に表示に寄与しない領域（いわゆる見切り部）である。
【００３７】
ダミー画素領域１０ｃは、対向基板３０に設けられた遮光部３２（図２（ｂ）参照）により遮光されている。また、図示を省略するが、画素領域１０（表示画素領域１０ａ、色毎合わせ画素領域１０ｂ、およびダミー画素領域１０ｃ）においては、素子基板２０に格子状に設けられた遮光部（ブラックマトリックス：ＢＭ）により複数の画素Ｐが平面的に区分されている。
【００３８】
素子基板２０の１辺部のシール材４２の平面的に外側には、１辺部に沿ってデータ線駆動回路５１および複数の外部接続端子５４が設けられている。また、その１辺部と直交し互いに対向する２辺部に沿ったシール材４２の内側には、走査線駆動回路５２が設けられている。データ線駆動回路５１および走査線駆動回路５２は、図示しない配線を介して複数の外部接続端子５４に接続されている。対向基板３０および素子基板２０の４つの角部には、対向基板３０と素子基板２０との間で電気的導通をとるための上下導通部５６が設けられている。
【００３９】
以下の説明では、データ線駆動回路５１が設けられた１辺部に沿った方向をＸ方向とし、走査線駆動回路５２が設けられた２辺部に沿った方向をＹ方向とする。図２（ａ）のＨ−Ｈ’線の方向は、Ｙ方向に沿った方向である。また、Ｘ方向およびＹ方向と直交し図２（ｂ）における上方に向かう方向をＺ方向とする。なお、本明細書では、液晶装置１を対向基板３０の表面の法線方向（Ｚ方向）から見ることを「平面視」という。また、平面視での配置を「平面的」と呼ぶ。
【００４０】
図２（ｂ）に示すように、対向基板３０（基材３１）の液晶層４０の側には、遮光部３２と、層間層３３と、第１電極としての共通電極３４と、共通電極３４を覆う配向膜３５とが設けられている。
【００４１】
遮光部３２は、平面視で走査線駆動回路５２（図２（ａ）参照）や図示しない複数の配線と平面視で重なる位置に、Ｘ方向およびＹ方向に沿うように枠状に設けられている。遮光部３２は、例えば遮光性の金属あるいは金属酸化物などからなる。遮光部３２は、対向基板３０側から入射する光を遮蔽して、これらの駆動回路を含む周辺回路の光による誤動作を防止する役目を果たしている。また、不必要な迷光が表示画素領域１０ａに入射しないように遮蔽して、表示画素領域１０ａの表示における高いコントラストを確保している。
【００４２】
図２（ｂ）に示す層間層３３は、遮光部３２を覆うように形成されている。層間層３３は、例えばシリコン酸化膜（ＳｉＯ2）などの絶縁膜で形成され、光透過性を有している。層間層３３は、遮光部３２などに起因する凹凸を緩和し、共通電極３４が形成される液晶層４０の側の面が平坦となるように設けられている。層間層３３の形成方法としては、例えば、プラズマＣＶＤ（Chemical Vapor Deposition）法などを用いて成膜する方法が挙げられる。
【００４３】
共通電極３４は、例えばＩＴＯ（Indium Tin Oxide）やＩＺＯ（Indium Zinc Oxide）などの光透過性を有する導電膜からなり、層間層３３を覆うとともに、図２（ａ）に示すように対向基板３０の四隅に設けられた上下導通部５６により素子基板２０側の配線に電気的に接続されている。なお、導電性の遮光部３２を直接覆うように共通電極３４を形成することで、層間層３３を省略した構成としてもよい。
【００４４】
素子基板２０（基材２１）の液晶層４０の側には、画素Ｐ毎に設けられたスイッチング素子であるＴＦＴ２４と、図示しない配線部やコンタクト部などと、画素Ｐ毎に設けられた透光性の画素電極２８と、画素電極２８を覆う配向膜２９とが設けられている。ＴＦＴ２４、配線部、コンタクト部などは公知の構成を有している。画素電極２８は、ＩＴＯ（Indium Tin Oxide）やＩＺＯ（Indium Zinc Oxide）などの光透過性を有する導電膜からなる。
【００４５】
配向膜２９および配向膜３５は、液晶装置１の光学設計に基づいて選定される。配向膜２９および配向膜３５は、例えば、ポリイミドなどの有機材料を成膜して、その表面をラビングすることにより、液晶分子に対して略垂直配向処理が施された有機配向膜や、気相成長法を用いてＳｉＯｘ（酸化シリコン）などの無機材料を成膜して、負の誘電率異方性を有する液晶分子に対して略垂直配向させた無機配向膜が挙げられる。
【００４６】
液晶層４０を構成する液晶は、印加される電圧レベルにより分子集合の配向や秩序が変化することにより、光を変調し、階調表示を可能とする。各画素Ｐの単位で印加された電圧に応じて入射光に対する透過率が増加し、全体として液晶装置１からは画像信号に応じたコントラストをもつ光が射出される、いわゆるノーマリーブラックモードである。
【００４７】
本実施形態では、液晶装置１が、無機材料を斜め蒸着して成膜した配向膜２９および配向膜３５と、負の誘電率異方性を有する液晶を含む液晶層４０とを備え、ノーマリーブラックの光学設計が適用されたＶＡ（Vertical Alignment）モードの液晶装置である。
【００４８】
次に図３を参照して、液晶装置１の電気的な構成について説明する。図３に示すように、画素領域１０には、走査線２とデータ線３とが互いに絶縁され交差するように形成されている。走査線２が延在する方向がＸ方向であり、データ線３が延在する方向がＹ方向である。画素Ｐは、走査線２とデータ線３との交差に対応して設けられている。画素Ｐのそれぞれには、画素電極２８と、スイッチング素子としてのＴＦＴ２４（Thin Film Transistor：薄膜トランジスター）とが設けられている。
【００４９】
ＴＦＴ２４のソース電極（図示しない）は、データ線駆動回路５１から延在するデータ線３に電気的に接続されている。データ線３には、データ線駆動回路５１（図２（ａ），（ｂ）参照）から画像信号（データ信号）Ｓ１，Ｓ２，…，Ｓｎが線順次で供給される。ＴＦＴ２４のゲート電極（図示しない）は、走査線駆動回路５２から延在する走査線２の一部である。走査線２には、走査線駆動回路５２から走査信号Ｇ１，Ｇ２，…，Ｇｍが線順次で供給される。ＴＦＴ２４のドレイン電極（図示しない）は、画素電極２８に電気的に接続されている。
【００５０】
画像信号Ｓ１，Ｓ２，…，Ｓｎは、ＴＦＴ２４を一定期間だけオン状態とすることにより、データ線３を介して画素電極２８に所定のタイミングで書き込まれる。このようにして画素電極２８を介して液晶層４０に書き込まれた所定レベルの画像信号は、対向基板３０に設けられた共通電極３４（図２（ｂ）参照）との間に形成される液晶容量で一定期間保持される。
【００５１】
なお、保持された画像信号Ｓ１，Ｓ２，…，Ｓｎがリークするのを防止するため、データ線３に沿って平行するように形成された容量線４と画素電極２８との間に蓄積容量５が形成され、液晶容量と並列に配置されている。このように、各画素Ｐの液晶に電圧信号が印加されると、印加された電圧レベルにより液晶の配向状態が変化する。これにより、液晶層４０（図２（ｂ）参照）に入射した光が変調されて階調表示が可能となる。
【００５２】
次に、液晶装置１の画素領域１０のより詳細な構成について、図４を参照して説明する。図４は、本実施形態に係る液晶装置の画素領域を示す概略平面図である。図４に示すように、画素領域１０において、表示画素領域１０ａの平面的に外側に色毎合わせ画素領域１０ｂが配置されており、色毎合わせ画素領域１０ｂの平面的に外側にダミー画素領域１０ｃが配置されている。図４では、色合わせ画素領域１０ｂは１画素で囲んだ形状になっているが、複数画素で囲んだ形状であってもよい。
【００５３】
画素領域１０にマトリックス状に配置された複数の画素Ｐのうち、表示画素領域１０ａに配置された画素Ｐを表示画素Ｐａとし、色毎合わせ画素領域１０ｂに配置された画素Ｐを色毎合わせ画素Ｐｂとし、ダミー画素領域１０ｃに配置された画素Ｐをダミー画素Ｐｃとする。
【００５４】
また、画素Ｐに対応して設けられた画素電極２８のうち、表示画素Ｐａに対応する画素電極２８を第２電極としての画素電極２８ａとし、色毎合わせ画素Ｐｂに対応する画素電極２８を第３電極としての画素電極２８ｂとし、ダミー画素Ｐｃに対応する画素電極２８を第４電極としての画素電極２８ｃとする。画素電極２８ａ，２８ｂ，２８ｃは、それぞれＴＦＴ２４（図２（ｂ）参照）に電気的に接続されている。
【００５５】
表示画素領域１０ａは、液晶装置１において、通常の表示を行うための表示に実質的に寄与する領域である。液晶装置１がフルハイビジョン対応である場合、表示画素領域１０ａには、１９２０（Ｘ方向）×１０８０（Ｙ方向）の表示画素Ｐａが配置される。
【００５６】
色毎合わせ画素領域１０ｂは、例えば上述のプロジェクター１００のように複数枚の液晶装置１を使う場合に、液晶装置１のお互いの位置合わせに使用するための領域である。プロジェクター１００では、３枚の液晶装置１のそれぞれで変調された３つの色光を合成して一つの画像を形成するため、３枚の液晶装置１が機械的に位置合わせされる。この機械的な位置合わせで、３枚の液晶装置１の互いの表示画素Ｐａ同士の位置ずれが調整しきれない場合に、ずれた位置に対応する色毎合わせ画素Ｐｂを表示画素Ｐａとする場合や、逆に表示画素Ｐａを色毎合わせ画素Ｐｂとする場合がある。
【００５７】
このように、色毎合わせ画素領域１０ｂは、機械的な位置ずれがない状態では表示に寄与しないが、機械的な位置ずれがある場合に表示に寄与させるため、遮光されていない。３枚の液晶装置１の機械的な位置ずれがなければ、色毎合わせ画素領域１０ｂは、通常の使用状態において見切り部の一部として機能する。そのため、色毎合わせ画素Ｐｂでは黒表示が行われ、色毎合わせ画素領域１０ｂにおける光漏れを抑止する。
【００５８】
ダミー画素領域１０ｃは、表示に寄与する表示画素領域１０ａおよび表示に寄与する場合がある色毎合わせ画素領域１０ｂの周囲をこれらの領域と同じ断面構造とすることで、画素領域１０全体における液晶層４０（図２（ｂ）参照）の層厚を均一にし、液晶層４０の層厚のばらつきで生じる色ムラを防止するための領域である。ダミー画素領域１０ｃは、表示に寄与しない見切り部であり、遮光部３２（図２（ｂ）参照）により遮光されている。
【００５９】
＜通常駆動モードとイオン掃出し駆動モード＞
一般に、液晶装置に光が入射すると、液晶層の液晶材料や配向膜などと入射光とが光化学反応を起こし、反応生成物としてイオン性不純物が発生することがある。また、液晶装置の製造過程で、シール材や封止材などから液晶層に拡散するイオン性不純物もあることが知られている。特に、本実施形態のようにプロジェクター１００のライトバルブとして用いられる液晶装置１では、入射光の光束密度が直視型の液晶装置に比べて高くなるので、イオン性不純物が表示に影響を及ぼすことを抑制する必要がある。
【００６０】
プロジェクター１００において液晶装置１に照明光が照射され、液晶装置１で形成した画像を投写している状態を、画像形成時に設定される第１状態としての通常駆動モードという。液晶装置１を通常駆動モードで長時間継続して動作させると、上述したようにイオン性不純物が発生する。そこで、本実施形態に係るプロジェクター１００では、電源をオフにする時の電源オフシーケンスの中で、液晶装置１におけるイオン性不純物の掃出しを行う。この電源オフシーケンスにおいて行うイオン性不純物の掃出しを、電源をオフにする時に設定される第２状態としてのイオン掃出し駆動モードという。
【００６１】
以下に、本実施形態に係る液晶装置１およびプロジェクター１００の通常駆動モードとイオン掃出し駆動モードとを説明する。図５は、液晶装置における配向方向とイオン性不純物に起因する表示ムラとの関係を示す概略平面図である。図６は、液晶装置における配向方向とイオン性不純物の動きとの関係を説明する概略断面図である。
【００６２】
図５（ａ），（ｂ）には、液晶装置１の表示画素領域１０ａ、色毎合わせ画素領域１０ｂ、およびダミー画素領域１０ｃを簡略化して示している。図５（ａ）は、液晶装置１を通常駆動モードで長時間継続して動作させた後の状態を示す図である。図５（ｂ）は電源オフシーケンスのイオン掃出し駆動モードを実行した後の状態を示す図である。なお、ここでは、液晶装置１の機械的な位置ずれがなく、色毎合わせ画素領域１０ｂが表示に寄与しない見切り部の一部として機能しているものとする。
【００６３】
図５（ａ），（ｂ）において、例えば、素子基板２０側の配向膜２９における斜め蒸着方向は、図中に破線の矢印２９ａで示すように、左下から右上に向かって所定の方位角度θａでＹ方向と交差する方向である。対向基板３０側の配向膜３５における斜め蒸着方向は、図中に実線の矢印３５ａで示すように、右上から左下に向かって所定の方位角度θａでＹ方向と交差する方向である。本実施形態では、所定の方位角度θａは、例えば４５°である。図５（ａ），（ｂ）に示した斜め蒸着方向は、液晶装置１を対向基板３０側から見た平面視における方向である。
【００６４】
図６（ａ），（ｂ），（ｃ）には、液晶装置１の表示画素領域１０ａと色毎合わせ画素領域１０ｂとダミー画素領域１０ｃとが隣り合う部分における、矢印２９ａ，３５ａで示した斜め蒸着方向に沿った断面を拡大して示している。図６（ａ）は通常駆動モードにおける状態を示す図であり、図６（ｂ）はイオン掃出し駆動モードにおける状態を示す図である。図６（ｃ）は、一旦電源をオフにしてイオン性不純物の掃出しを実施した後の通常駆動モードにおける状態を示す図である。
【００６５】
図６（ａ），（ｂ），（ｃ）において、素子基板２０側の配向膜２９における斜め蒸着方向は、図中に矢印２９ａで示すように左から右に向かう方向であり、対向基板３０側の配向膜３５における斜め蒸着方向は、図中に矢印３５ａで示すように右から左に向かう方向である。配向膜２９，３５は無機配向膜であって、酸化シリコンなどの無機材料を所定の方向から斜め蒸着して、例えば柱状に成長したカラム（図示しない）の集合体からなる。
【００６６】
図６（ａ）に示すように、このような配向膜２９，３５に対して、液晶層４０に含まれる負の誘電率異方性を有する液晶分子４０ａは、配向膜面の法線方向に対してカラムの傾斜方向にプレチルト角度θｐを有して略垂直配向（ＶＡ：Vertical Alignment）する。プレチルト角度θｐは、例えば、３°〜５°程度である。画素電極２８（２８ａ，２８ｂ，２８ｃ）と共通電極３４との間に交流電圧を印加して液晶層４０を駆動することによって、液晶分子４０ａは、画素電極２８（２８ａ，２８ｂ，２８ｃ）と共通電極３４との間に生ずる電界方向に傾くように挙動（振動）する。
【００６７】
図６（ａ）に示すように、通常駆動モードにおいて、表示画素領域１０ａでは、画像を形成する映像信号に基づいて、各画素電極２８ａと共通電極３４との間に所定の電圧範囲の中で設定された交流電圧が印加される。本実施形態では、所定の電圧範囲は、例えば０Ｖ〜５Ｖ（−５Ｖ〜＋５Ｖ）である。各画素電極２８ａに印加される電圧は、形成される画像の階調によって様々に変化する。
【００６８】
そのため、表示画素領域１０ａにおける液晶分子４０ａの傾きは、印加される電圧の変化に伴って、プレチルト角度θｐで配向膜面に対して略垂直方向に立った状態から配向膜面に沿うように傾いて寝た状態まで様々に変化する。このとき、各液晶分子４０ａが傾く方向は、配向膜面の法線方向に対してプレチルト角度θｐが付与された側、すなわち、矢印３５ａで示す左側である。
【００６９】
なお、以下では、配向膜面の法線方向に対する液晶分子４０ａの傾きが小さいことを単に「傾きが小さい」といい、配向膜面の法線方向に対する傾きが大きいことを単に「傾きが大きい」という。また、液晶分子４０ａの傾きが小さくなりプレチルト角度θｐになった状態（またはプレチルト角度θｐに近くなった状態）を「液晶分子４０ａが立った状態」ともいい、液晶分子４０ａの傾きが大きくなり配向膜面に沿うようになった状態を「液晶分子４０ａが寝た状態」ともいう。
【００７０】
上述した通り、表示画素領域１０ａには偏光照明装置１１０（図１参照）から照明光が照射されるので、液晶層４０の液晶材料や配向膜２９，３５などと入射する照明光とが光化学反応を起こし、反応生成物としてイオン性不純物４５が発生することがある。イオン性不純物４５が発生すると、液晶分子４０ａの振動によって、イオン性不純物４５には液晶分子４０ａが傾く方向、すなわち矢印３５ａで示す左側へ向かわせるモーメントが働く。そのため、イオン性不純物４５は、色毎合わせ画素領域１０ｂ側へ向かって移動する。
【００７１】
色毎合わせ画素領域１０ｂでは、画素電極２８ｂと共通電極３４との間に、画素電極２８ａと共通電極３４との間に印加される電圧以下の電圧、より具体的には、０Ｖの電圧が印加される。そうすると、液晶分子４０ａがプレチルト角度θｐで立った状態となり、色毎合わせ画素領域１０ｂは黒表示となる（図５（ａ）参照）。そのため、表示画素領域１０ａで発生し図の左側へ移動しようとするイオン性不純物４５は、色毎合わせ画素領域１０ｂにおいて立った状態の液晶分子４０ａが壁となって、その右側に溜まってしまう。
【００７２】
なお、ダミー画素領域１０ｃは遮光されておりユーザーからは視認されないので、画素電極２８ｃと共通電極３４との間に印加される電圧は特に限定されず、例えば、表示画素領域１０ａの画素電極２８ａと共通電極３４との間に印加される所定の電圧範囲の中で適宜設定される。図６（ａ）には、画素電極２８ｃと共通電極３４との間に最大電圧（５Ｖ）が印加された場合の状態を示している。
【００７３】
図５（ａ）に示す平面視では、イオン性不純物４５（図６（ａ）参照）は、表示画素領域１０ａにおいて矢印３５ａで示す右上から左下に向かって移動する。そうすると、表示画素領域１０ａを囲む色毎合わせ画素領域１０ｂにおいて立った状態の液晶分子４０ａが壁となるため、イオン性不純物４５が表示画素領域１０ａの左下のコーナー部に溜まってしまう。
【００７４】
図５（ａ）には、このようにしてイオン性不純物４５が大量に集まってしまったことにより、表示画素領域１０ａの左下のコーナー部にイオン溜り４６が生じた状態を示している。イオン溜り４６ができた領域には、集まったイオン性不純物４５によって比抵抗の劣化が生じ、表示ムラとしてユーザーに視認されてしまう。
【００７５】
そこで、本実施形態に係るプロジェクター１００では、イオン性不純物４５を表示画素領域１０ａの平面的に外側へ掃き出すために実行するイオン掃出し駆動モードを有している。イオン掃出し駆動モードでは、表示画素領域１０ａにおいて画素電極２８ａと共通電極３４との間の液晶層４０に印加される第１電圧を、０Ｖよりも高い電圧に設定する。なお、第１電圧を０Ｖとすると、表示画素領域１０ａ内で液晶分子４０ａがプレチルト角度θｐで立った状態となるため、イオン性不純物４５の移動が阻害されて表示画素領域１０ａに滞留してしまうこととなる。
【００７６】
そして、色毎合わせ画素領域１０ｂにおいて画素電極２８ｂと共通電極３４との間の液晶層４０に印加される第２電圧を第１電圧以上の電圧に設定し、ダミー画素領域１０ｃにおいて画素電極２８ｃと共通電極３４との間の液晶層４０に印加される第３電圧を第２電圧以上の電圧に設定する。第１電圧、第２電圧、および第３電圧は、固定階調信号となる固定電圧である。
【００７７】
本実施形態では、第１電圧、第２電圧、および第３電圧を、ともに通常駆動モードでの最大電圧（５Ｖ）に設定するものとする。この設定により、図６（ｂ）に示すように、表示画素領域１０ａ、色毎合わせ画素領域１０ｂ、およびダミー画素領域１０ｃの全領域において、液晶分子４０ａの傾きが大きくなって寝た状態となる。
【００７８】
したがって、イオン掃出し駆動モードでは、色毎合わせ画素領域１０ｂの壁がなくなるとともに、表示画素領域１０ａからダミー画素領域１０ｃへの全体的なイオン性不純物４５の流れができる。そのため、通常駆動モードにおいて表示画素領域１０ａで発生したイオン性不純物４５は、表示画素領域１０ａから色毎合わせ画素領域１０ｂを通過してダミー画素領域１０ｃ側へと掃き出されて集められる。
【００７９】
図５（ｂ）に示す平面視では、イオン掃出し駆動モードにおいて、表示画素領域１０ａの左下のコーナー部に集められたイオン性不純物４５がさらに左下の方向に移動して、ダミー画素領域１０ｃのコーナー部へ集められる。これにより、図５（ａ）に示すように通常駆動モードにおいてイオン性不純物４５が大量に集まってイオン溜り４６ができた場合でも、図５（ｂ）に示すように、イオン掃出し駆動モードにおいてイオン溜り４６は遮光されたダミー画素領域１０ｃのコーナー部へ移動する。この結果、イオン溜り４６に起因する表示ムラはユーザーから視認されなくなる。
【００８０】
なお、本実施形態では、イオン掃出し駆動モードにおいて印加する第１電圧、第２電圧、および第３電圧を、通常駆動モードでの最大電圧（５Ｖ）に設定することとしたが、通常駆動モードでの最大電圧よりも高い電圧に設定することとしてもよい。
【００８１】
図６（ｃ）に示すように、一旦プロジェクター１００の電源をオフにしてイオン性不純物４５の掃出しを実施した後で電源をオンして再使用する際の通常駆動モードでは、ダミー画素領域１０ｃに集められたイオン性不純物４５は、矢印３５ａで示す配向方向に沿ったイオン性不純物４５の流れの逆方向となる右側へは移動しにくい。そして、色毎合わせ画素領域１０ｂにおいて立った状態の液晶分子４０ａが壁となるので、一度ダミー画素領域１０ｃに集められたイオン性不純物４５が表示画素領域１０ａへ戻ることは抑止される。
【００８２】
また、イオン性不純物４５の掃出しを実施した後の通常駆動モードにおいて、表示画素領域１０ａで新たにイオン性不純物４５が発生した場合も、電源をオフにする時にイオン掃出し駆動モードを実行することにより、新たに発生したイオン性不純物４５を表示画素領域１０ａ外のダミー画素領域１０ｃへ掃き出すことができる。
【００８３】
発明者らの実験によれば、プロジェクター１００の使用を開始した時からイオン性不純物４５の発生は起きるものの、図５（ａ）に示すように表示ムラがユーザーから視認されるほどのイオン溜り４６が生じるのは、通常駆動モードで、例えば１６時間から２４時間以上の長時間継続して使用した後である。一般的なユーザーの使用において、このように長時間継続してプロジェクター１００を使用することは稀である。したがって、本実施形態に係るプロジェクター１００のように、通常駆動モードで使用した後、電源をオフにする度にイオン性不純物４５の掃出しを行えば、ユーザーから視認されるような表示ムラの発生を抑止することができる。
【００８４】
次に、本実施形態に係る液晶装置１を駆動する回路部の構成と、プロジェクター１００の電源オフシーケンスとを、図７、図８、および図９を参照して説明する。図７は、本実施形態に係る液晶装置を駆動する回路部の概略構成を示すブロック図である。図８は、本実施形態に係るプロジェクターの電源オフシーケンスを示す図である。図９は、本実施形態に係るイオン掃出し結果を説明する図である。
【００８５】
＜回路部の構成＞
図７に示すように、本実施形態に係るプロジェクター１００は、液晶装置１を駆動するための回路部１４０を備えている。回路部１４０は、見切り生成回路１４１と、合成回路１４２と、色毎合わせ回路１４３と、固定階調生成回路１４４と、出力選択回路１４５と、出力制御回路１４６とを備えている。回路部１４０から、液晶ライトバルブ１２１，１２２，１２３（液晶装置１）に、赤色光（Ｒ）、緑色光（Ｇ）、および青色光（Ｂ）の３つの色光のそれぞれの画素入力信号が出力される。
【００８６】
見切り生成回路１４１は、通常駆動モードにおいて、見切り部である色毎合わせ画素領域１０ｂおよびダミー画素領域１０ｃの画素電極２８ｂ，２８ｃと共通電極３４との間に印加する電圧を生成し、合成回路１４２に出力する。本実施形態では、見切り生成回路１４１は、色毎合わせ画素領域１０ｂの画素電極２８ｂと共通電極３４との間に０Ｖの電圧を印加し、ダミー画素領域１０ｃの画素電極２８ｃと共通電極３４との間に５Ｖの電圧を印加する。
【００８７】
合成回路１４２は、通常駆動モードにおいて、映像信号に基づいて決まる表示画素領域１０ａの画素電極２８ａと共通電極３４との間に印加する電圧と、見切り生成回路１４１から出力される見切り部の画素電極２８ｂ，２８ｃと共通電極３４との間に印加する電圧とを合成する。なお、映像信号は、画像を形成して映像を表示するために制御部（図示しない）から入力される信号であり、Ｒ、Ｇ、Ｂの各色光に対して用意される。
【００８８】
色毎合わせ回路１４３は、Ｒ、Ｇ、Ｂの各色光の画素Ｐの位置を電気的に合わせる回路である。上述したように、機械的な位置合わせで液晶ライトバルブ１２１，１２２，１２３（液晶装置１）の互いの位置ずれが調整しきれない場合に、対象となる液晶装置１について色毎合わせ画素Ｐｂを表示画素Ｐａとして使用したり、逆に表示画素Ｐａを色毎合わせ画素Ｐｂとして使用したりする。このような場合に、色毎合わせ回路１４３は、表示画素Ｐａとして使用する色毎合わせ画素Ｐｂを、また色毎合わせ画素Ｐｂとして使用する表示画素Ｐａを、Ｒ、Ｇ、Ｂの各色光について決定し、その決定に基づく映像信号を出力する。
【００８９】
固定階調生成回路１４４は、電源オフシーケンスのイオン掃出し駆動モードにおいて、表示画素領域１０ａ、色毎合わせ画素領域１０ｂ、およびダミー画素領域１０ｃの各領域の画素電極２８ａ，２８ｂ，２８ｃのそれぞれと共通電極３４との間に印加する電圧（第１電圧、第２電圧、および第３電圧）を生成する。本実施形態では、固定階調生成回路１４４は、画素電極２８ａ，２８ｂ，２８ｃのそれぞれに対して、同じ固定階調信号として５Ｖの印加電圧を出力する。
【００９０】
出力選択回路１４５は、制御部から入力される選択信号に基づいて、色毎合わせ回路１４３から出力される映像信号、または、固定階調生成回路１４４から出力される固定階調信号のいずれかを選択して出力する。選択信号により、通常駆動モードにおいては色毎合わせ回路１４３からの映像信号が出力され、電源オフシーケンスのイオン掃出し駆動モードにおいては固定階調生成回路１４４からの固定階調信号が出力される。
【００９１】
出力制御回路１４６は、出力選択回路１４５で選択され出力された信号に基づいて、液晶ライトバルブ１２１，１２２，１２３（液晶装置１）に、画素Ｐ（Ｐａ，Ｐｂ，Ｐｃ）毎のＲ、Ｇ、Ｂの各色光の信号を出力する。
【００９２】
＜電源オフシーケンス＞
図８に示すように、本実施形態に係るプロジェクター１００は、電源オフシーケンスとして、ステップＳ１〜ステップＳ９までの一連の動作を行う。電源オフシーケンスは、プロジェクター１００の各部が動作している状態で、ユーザーが電源スイッチを押すなどの電源をオフにするための操作をすることにより開始される。
【００９３】
まず、ステップＳ１では、偏光照明装置１１０からの照明光の射出を停止する。これにより、液晶ライトバルブ１２１，１２２，１２３（液晶装置１）に照明光が照射されなくなり、スクリーン１３０などへの画像の投写が停止する。
【００９４】
次に、ステップＳ２では、イオン掃出し駆動モードに切り替わり、固定階調生成回路１４４が固定階調信号を出力する。そして、出力選択回路１４５は固定階調信号を選択し出力して、液晶ライトバルブ１２１，１２２，１２３（液晶装置１）を、図６（ｂ）に示すようにイオン掃出し駆動モードで駆動する。このイオン掃出し駆動モードは、ステップＳ３で所定の時間維持される。
【００９５】
なお、照明光が照射されていると、照明光が照射されていない場合と比べてイオン性不純物４５の移動に時間がかかる。したがって、照明光の照射が停止された後でイオン掃出し駆動モードに切り替えることで、ユーザーに視認されることなく迅速にイオン性不純物４５の掃出しを行うことができる。
【００９６】
ステップＳ３における所定の時間は、イオン掃出し駆動モードにおいて、イオン性不純物４５（イオン溜り４６）が表示画素領域１０ａの平面的に外側へ移動しユーザーから視認されるような表示ムラがなくなるまでに必要な時間として、適宜設定される。本実施形態では、イオン掃出し駆動モードを維持する所定の時間を、例えば、８秒間としている。その理由を、図９を参照して説明する。
【００９７】
図９には、実験サンプルとして、液晶装置１を通常駆動モードで１６時間継続して駆動して表示ムラが視認できたものを用いて、イオン掃出し駆動モードで駆動したときの駆動時間と表示ムラの視認状況の判定結果との関係を示している。イオン掃出し駆動モードの駆動は照明光の射出を停止した後に開始し、表示画素領域１０ａ、色毎合わせ画素領域１０ｂ、およびダミー画素領域１０ｃの各領域の画素電極２８ａ，２８ｂ，２８ｃのそれぞれと共通電極３４との間に印加する電圧（第１電圧、第２電圧、および第３電圧）は５Ｖに設定した。
【００９８】
図９に示すように、駆動時間が０．５秒間では、表示ムラの減少が確認できなかった（判定結果：Ｃ）。駆動時間が１秒間〜３秒間では、表示ムラの減少は確認できたが、許容できるレベルまでには至らなかった（判定結果：Ｂ）。駆動時間が５秒間では、表示ムラが著しく低減し、許容できるレベルになった（判定結果：Ａ）。駆動時間が８秒間〜１０秒間では、表示ムラが視認されなくなった（判定結果：ＡＡ）。すなわち、駆動時間を５秒間以上とすることで表示ムラを許容できるレベルまで低減でき、駆動時間を８秒間以上とすることで表示ムラを消失させる（見切り部へ移動させる）ことができることがわかった。
【００９９】
表示ムラを消失させるためには、ステップＳ３で維持される所定の時間は長いほどよいが、ステップＳ３の時間が長くなるとステップＳ１〜ステップＳ９までの一連の動作にかかる時間がそれだけ長くなるため、ユーザーの利便性の低下を招く場合がある。したがって、本実施形態では、ステップＳ３における所定の時間を、表示ムラが視認できなくなるレベル（判定結果：ＡＡ）までに必要な８秒間に設定している。
【０１００】
次に、図８に示すステップＳ４では、電源オフシーケンスにおける第３の状態としての電荷放電駆動モードに切り替わる。電荷放電駆動モードは、通常駆動モードにおいて画素電極２８ａ，２８ｂ，２８ｃに電気的に接続されたＴＦＴ２４に溜まった電荷を放電させるためのモードである。電荷放電駆動モードでは、固定階調生成回路１４４が画素電極２８ａ，２８ｂ，２８ｃのそれぞれに対して同じ固定階調信号として０Ｖの印加電圧を出力する。この電荷放電駆動モードは、ステップＳ５で所定の時間維持される。本実施形態では、電荷放電駆動モードを維持する所定の時間を、例えば、０．１８秒（１８０ｍｓｅｃ）とする。
【０１０１】
ここで、電荷放電駆動モードでは、表示画素領域１０ａ、色毎合わせ画素領域１０ｂ、およびダミー画素領域１０ｃの全領域において画素電極２８ａ，２８ｂ，２８ｃと共通電極３４との間に０Ｖの電圧が印加されるため、これらの全領域における液晶分子４０ａが、図６（ａ）に示す色毎合わせ画素領域１０ｂにおける液晶分子４０ａと同様に、配向膜面に対して立った状態となる。そのため、この状態では、全領域においてイオン性不純物４５の移動が阻害されることとなる。
【０１０２】
したがって、ステップＳ２の前にステップＳ４を実行してしまうと、液晶装置１の全領域においてイオン性不純物４５が移動しにくくなり、ステップＳ２のイオン掃出し駆動モードにおけるイオン性不純物４５の掃出しが良好に行えないおそれがある。本実施形態では、ステップＳ４の電荷放電駆動モードを実行する前にステップＳ２のイオン掃出し駆動モードを実行するので、イオン掃出し駆動モードにおけるイオン性不純物４５の掃出しを良好に行うことができる。
【０１０３】
次に、図８に示すステップＳ６では、液晶ライトバルブ１２１，１２２，１２３（液晶装置１）の駆動を停止する。そして、所定の時間、例えば０．１秒間（１００ｍｓｅｃ）待機する（ステップＳ７）。次に、ステップＳ８では、電源オン時のＩ／Ｏ設定を行う。ステップＳ８では、次の電源オン時に制御部のＩＣの初期動作が正しく行われるように、制御信号などを所定の状態に設定する。
【０１０４】
次に、ステップＳ９では、プロジェクター１００の各部の電源がオフされる。このステップＳ９の後、ユーザーがプロジェクター１００の電源プラグをコンセントから抜いたり、プロジェクター１００の電源プラグが差し込まれたコンセントの主電源スイッチをオフにしたりすることが可能となる。したがって、ユーザーの利便性を低下させないため、ステップＳ１〜ステップＳ９までの一連の動作にかかる時間が長くならないようにすることが好ましい。
【０１０５】
このように、本実施形態に係る液晶装置１およびプロジェクター１００では、通常駆動モードにおいて表示画素領域１０ａに発生したイオン性不純物４５を、電源をオフにする時の電源シーケンスにおいて表示画素領域１０ａの平面的に外側へ掃き出すことができる。そのため、イオン性不純物４５の掃出しを、ユーザーが画像を視認できる通常駆動モード以外の状態で、かつ、外部電池を設けることなく実行することができる。これにより、外部電池を設けるためのスペースを不要にできるとともに、回路構成の複雑化や製品コストの上昇が避けられるので、表示品位に優れた小型でコスト競争力のあるプロジェクター１００を提供できる。
【０１０６】
（第２の実施形態）
次に、第２の実施形態を説明する。第２の実施形態は、第１の実施形態に対して、イオン掃出し駆動モードにおいて画素電極２８ａ，２８ｂ，２８ｃのそれぞれと共通電極３４との間に印加する電圧（第１電圧、第２電圧、および第３電圧）の設定が異なる点以外は、同様の構成を有している。ここでは、第１の実施形態で用いた図を参照して第１の実施形態に対して異なる点を説明し、その他の説明は省略する。
【０１０７】
＜イオン掃出し駆動モード＞
第２の実施形態に係るイオン掃出し駆動モードにおいては、図６（ｂ）に示す液晶装置１の色毎合わせ画素領域１０ｂおよびダミー画素領域１０ｃの画素電極２８ｂ，２８ｃに印加する第２電圧および第３電圧を、表示画素領域１０ａの画素電極２８ａに印加する第１電圧よりも高い電圧に設定する。
【０１０８】
例えば、表示画素領域１０ａの画素電極２８ａと共通電極３４との間に印加する第１電圧を、通常駆動モードでの電圧範囲の中間値程度の電圧、例えば３Ｖの電圧に設定する。そして、色毎合わせ画素領域１０ｂおよびダミー画素領域１０ｃの画素電極２８ｂ，２８ｃと共通電極３４との間に印加する第２電圧および第３電圧を通常駆動モードでの最大電圧（５Ｖ）に設定する。
【０１０９】
第１電圧、第２電圧、および第３電圧をこのように設定すれば、色毎合わせ画素領域１０ｂおよびダミー画素領域１０ｃでは、表示画素領域１０ａよりも液晶分子４０ａの傾きが大きくなりイオン性不純物４５が移動し易い状態となる。したがって、第２の実施形態においても第１の実施形態と同様に、通常駆動モードにおいて表示画素領域１０ａに発生したイオン性不純物４５を、ダミー画素領域１０ｃ側へ掃き出すことができる。
【０１１０】
また、視点を変えて見ると、表示画素領域１０ａでは、色毎合わせ画素領域１０ｂおよびダミー画素領域１０ｃよりも液晶分子４０ａの傾きが小さくなる。そのため、第２の実施形態では、ダミー画素領域１０ｃ側へ掃き出されたイオン性不純物４５が、イオン掃出し駆動モードで駆動している間に表示画素領域１０ａへ逆流して戻ってしまうことを抑止できる。
【０１１１】
なお、第２の実施形態のように第１電圧の設定と、第２電圧および第３電圧の設定とを異ならせるためには、図７に示す固定階調生成回路１４４が第１電圧設定用と第２電圧および第３電圧設定用とで個別に必要となる。
【０１１２】
（第３の実施形態）
次に、第３の実施形態を説明する。第３の実施形態は、上記実施形態に対して、イオン掃出し駆動モードにおいて画素電極２８ａ，２８ｂ，２８ｃのそれぞれと共通電極３４との間に印加する電圧（第１電圧、第２電圧、および第３電圧）の設定が異なる点以外は、同様の構成を有している。ここでは、第１の実施形態で用いた図を参照して上記実施形態に対して異なる点を説明し、その他の説明は省略する。
【０１１３】
＜イオン掃出し駆動モード＞
第３の実施形態に係るイオン掃出し駆動モードにおいては、図６（ｂ）に示す液晶装置１の色毎合わせ画素領域１０ｂの画素電極２８ｂに印加する第２電圧を、表示画素領域１０ａの画素電極２８ａに印加する第１電圧よりも高い電圧に設定する。そして、ダミー画素領域１０ｃの画素電極２８ｃに印加する第３電圧を、色毎合わせ画素領域１０ｂの画素電極２８ｂに印加する第２電圧よりも高い電圧に設定する。
【０１１４】
例えば、表示画素領域１０ａの画素電極２８ａと共通電極３４との間に印加する第１電圧を、通常駆動モードでの電圧範囲の中間値程度の電圧、例えば３Ｖに設定し、色毎合わせ画素領域１０ｂの画素電極２８ｂと共通電極３４との間に印加する第２電圧を通常駆動モードでの最大電圧（５Ｖ）に設定する。そして、ダミー画素領域１０ｃの画素電極２８ｃと共通電極３４との間に印加する第３電圧を、通常駆動モードでの最大電圧よりも高い５．５Ｖの電圧に設定する。
【０１１５】
各電圧をこのように設定すれば、色毎合わせ画素領域１０ｂでは表示画素領域１０ａよりも、ダミー画素領域１０ｃでは色毎合わせ画素領域１０ｂよりも、液晶分子４０ａの傾きが大きくなりイオン性不純物４５が移動し易い状態となる。したがって、上記実施形態と比べて、通常駆動モードにおいて表示画素領域１０ａに発生したイオン性不純物４５をダミー画素領域１０ｃ側へより効率良く掃き出すことができる。
【０１１６】
また、視点を変えて見ると、色毎合わせ画素領域１０ｂではダミー画素領域１０ｃよりも、表示画素領域１０ａでは色毎合わせ画素領域１０ｂよりも、液晶分子４０ａの傾きが小さくなる。したがって、ダミー画素領域１０ｃへ掃き出されたイオン性不純物４５が、イオン掃出し駆動モードで駆動している間に色毎合わせ画素領域１０ｂへ逆流して戻ってしまうことが抑止されるので、掃き出されたイオン性不純物４５が表示画素領域１０ａへ逆流して戻ってしまうことをより効果的に抑止することができる。
【０１１７】
なお、第３の実施形態のように第１電圧の設定と、第２電圧の設定と、第３電圧の設定とを互いに異ならせるためには、図７に示す固定階調生成回路１４４が第１電圧設定用と第２電圧設定用と第３電圧設定用とで個別に必要となる。
【０１１８】
上述した実施形態は、あくまでも本発明の一態様を示すものであり、本発明の範囲内で任意に変形および応用が可能である。変形例としては、例えば、以下のようなものが考えられる。
【０１１９】
（変形例１）
上記実施形態では、液晶装置１が光を透過する透過型の液晶装置であり、プロジェクター１００が光変調手段として透過型の液晶装置１を備えた透過型のプロジェクターであったが、本発明はこれに限定されるものではない。液晶装置が光を反射する反射型の液晶装置であり、プロジェクターが光変調手段として反射型の液晶装置を備えた反射型のプロジェクターであってもよい。反射型の液晶装置およびプロジェクターに本発明を適用した場合にも、透過型の液晶装置およびプロジェクターと同様の効果を得ることができる。
【０１２０】
（変形例２）
上記の実施形態のプロジェクター１００では、液晶装置１が適用された３枚の液晶ライトバルブ１２１，１２２，１２３を備えていたが、本発明はこのような形態に限定されない。プロジェクター１００は、２枚以下の液晶ライトバルブ（液晶装置１）を備えた構成であってもよいし、４枚以上の液晶ライトバルブ（液晶装置１）を備えた構成であってもよい。
【符号の説明】
【０１２１】
１…液晶装置（電気光学装置）、２０…素子基板（他方の基板）、２４…ＴＦＴ（スイッチング素子）、２８ａ（２８）…画素電極（第２電極）、２８ｂ（２８）…画素電極（第３電極）、２８ｃ（２８）…画素電極（第４電極）、３０…対向基板（一方の基板）、３４…共通電極（第１電極）、４０…液晶層、１００…プロジェクター（電子機器）。
【図１】
2016057427.tif 000003
【図２】
2016057427.tif 000004
【図３】
2016057427.tif 000005
【図４】
2016057427.tif 000006
【図５】
2016057427.tif 000007
【図６】
2016057427.tif 000008
【図７】
2016057427.tif 000009
【図８】
2016057427.tif 000010
【図９】
2016057427.tif 000011